(57)【要約】【課題】収納する物品の大きさや形状に応じてフレキシブルに変形すると共に、収納容器内で容易に安定する間仕切りを備えた釣具用収納容器を提供する。【解決手段】釣具用収納容器１は、少なくとも底面３ａと底面に対して略直角状に立設された内面壁３ｃとで構成される収納部８を備えた本体３と、収納部８に対して着脱可能な間仕切り１０とを備えている。間仕切り１０は屈曲変形可能であり、端部領域に、内面壁３ｃから底面３ａに亘って密着が可能となる密着面が形成されている。【選択図】    図３
2006061082.tif 000002
【特許請求の範囲】
【請求項１】
少なくとも底面と、底面に対して略直角状に立設された内面壁とで構成される収納部を備えた本体と、
前記収納部に対して着脱可能な間仕切りと、
を備えた釣具用収納容器であって、
前記間仕切りは屈曲変形可能であり、端部領域に、前記内面壁から底面に亘って密着が可能となる密着面が形成されていることを特徴とする釣具用収納容器。
【請求項２】
前記密着面は、前記間仕切りの端部を傾斜させて屈曲することで形成されることを特徴とする請求項１に記載の釣具用収納容器。
【請求項３】
前記間仕切りは、２枚の屈曲変形可能な部材を対向して固着形成したものであり、各部材の端部領域を、互いに外方に開くことで前記密着面を形成したことを特徴とする請求項２に記載の釣具用収納容器。
【請求項４】
前記間仕切りは、板状、Ｔ字状、又は十字状に形成されており、各端部領域に前記密着面が形成されていることを特徴とする請求項１から３のいずれか１項に記載の釣具用収納容器。
【請求項５】
前記密着面は、面ファスナによって構成されていることを特徴とする請求項１から４のいずれか１項に記載の釣具用収納容器。
【発明の詳細な説明】
【技術分野】
【０００１】
本発明は、例えば、リールやその付属品（スプール、釣糸等）、或いは、その他、魚釣りに際して携行される各種の小物を収納する釣具用収納容器に関する。
【背景技術】
【０００２】
通常、釣人は、釣り場に行く際、各種の釣具を収納できる釣具用収納容器（以下、容器とする）を携行することが多い。この容器内には、複数の物品を収納することがあり、それに応じて間仕切りが設けられていることが便利である。
【０００３】
上記した容器内に設けられる間仕切りは、固定されていると大きさの異なる物品を収納する上で利便性に欠けることから、例えば、特許文献１に開示されているように、間仕切りを移動可能に構成して、収納スペースを調節できるようにした構成が提案されている。この特許文献１に開示されている間仕切りは、間仕切りの一端側を軸として、他端側が回動できるようになっており、軸を中心に間仕切りを回動し、他端側に設けられた面ファスナを、容器内面の所望の箇所に止着することで、収納スペースを調節するよう構成されている。
【特許文献１】特開２０００−６０４０１号公報
【発明の開示】
【発明が解決しようとする課題】
【０００４】
上記した公知の容器は、間仕切りが軸を中心に回動可能であり、他端部を容器の内面に止着する構成であることから、収納スペースを調節する上では限界がある。すなわち、回動する位置を変えることで、収納スペースを調節する構成であるが、収納する物品形状が複雑であったり、大きさや形状が異なる物品を収納する場合など、各物品の形状に合った必要最小限の収納スペースを形成することは難しい。
【０００５】
また、間仕切りがフレキシブルになることで、間仕切りが内部で外れたり、ずれ易くなってしまい、収納物がバラバラになって安定した状態が保てないのは好ましくない。
【０００６】
本発明は、上記した問題に基づいて成されたものであり、収納する物品の大きさや形状に応じてフレキシブルに変形すると共に、収納容器内で容易に安定化される間仕切りを備えた釣具用収納容器を提供することを目的とする。
【課題を解決するための手段】
【０００７】
上記した目的を達成するために、本発明に係る釣具用収納容器は、少なくとも底面と、底面に対して略直角状に立設された内面壁とで構成される収納部を備えた本体と、前記収納部に対して着脱可能な間仕切りと、を備えており、前記間仕切りは屈曲変形可能であり、端部領域に、前記内面壁から底面に亘って密着が可能となる密着面が形成されていることを特徴とする。
【０００８】
上記した構成の釣具用収納容器によれば、間仕切りは屈曲変形可能であり、かつ端部領域に、内面壁から底面に亘って密着が可能な密着面が形成されているため、間仕切りを所望の収納スペースに応じて任意の形状に屈曲させた状態で、端部を適宜、内面壁から底面領域に密着させることが可能となる。また、端部領域は、内面壁から底面に亘って密着可能に構成されていることから、例えば、内面壁のみ、又は底面のみに密着させることで、間仕切りを所望の収納スペースとなるように屈曲変形させることもでき、外れたりずれたりすることが無く、容易に密着して固定状態が安定する。
【０００９】
なお、前記本体の収納部は、底面と内面壁との間に、両者を連続的に連結する傾斜部が形成されていることが好ましい。このように底面と内面壁との間に傾斜する傾斜部が形成されていることで、屈曲変形する間仕切りの密着面が、より自然に密着できるようになり、間仕切りが外れたりずれたりすることが無く、着脱操作性の向上が図れるようになる。
【発明の効果】
【００１０】
本発明に係る釣具用収納容器によれば、収納する物品の大きさや形状に応じて、間仕切りがフレキシブルに変形して、安定した収納スペースを容易に形成することが可能になる。
【発明を実施するための最良の形態】
【００１１】
以下、本発明に係る釣具用収納容器の実施形態について、添付図面を参照して具体的に説明する。
【００１２】
図１から図３は、本実施形態に係る釣具用収納容器（以下、容器）を示す図であり、図１は正面図、図２は平面図、図３は展開図である。  
容器１は、内部に各種の釣具が収納されるように、所定の深さを有し矩形状に開口した本体（ケース）３を備えており、本実施形態では、同一形状の２つの本体３，３をヒンジ５によって回動可能に連結し、両者をファスナ７によって開閉するように構成している。
【００１３】
前記本体３は、ファスナ７を閉じた際、収納物が保護できるようなものであれば良く、マットなウレタン素材、布、皮、合成皮等、或いは本体を形成する基材に上記したような素材を取着することで構成されている。また、各本体３の内側は、図３に示すように、平坦な底面３ａ、及び底面３ａから傾斜部３ｂを介して底面３ａに対して略直角状に立設された内面壁３ｃとで構成されており、これにより各種の物品が収納される収納部８が形成されている。このように、ファスナ７を開いた際、２つの本体３は共に上面が大きく開口するため、収納物を容易に取り出すことが可能となる。
【００１４】
なお、本体３の内側は、底面３ａと内面壁３ｃで構成されていても良いが、上記したように、両者の間に傾斜部３ｂを形成することによって、後述する間仕切り１０の密着面の密着性が向上するようになり、ずれや外れが生じ難く、また、着脱操作性も向上する。
【００１５】
前記本体３の内面（底面３ａ、傾斜部３ｂ、内面壁３ｃ）は、リールやスプール等の収納物を保護する柔らかい素材で、間仕切り１０が密着できるような素材（好ましくは面ファスナが密着できる素材）、例えば、トリコットの起毛素材で構成されている。
【００１６】
前記間仕切り１０は、収納部８に対して着脱可能で、収納部を分割して所望の収納スペースを形成するものであり、内部で自由に移動可能となるように屈曲変形可能な材料で形成されている。本実施形態では、間仕切り１０は、略Ｔ字状に形成されており、収納部８を３分割して収納スペース８ａ，８ｂ，８ｃを形成するように構成されている。
【００１７】
図４から図７は、上記した間仕切り１０の構成を示す図であり、図４は平面図、図５は正面図、図６は斜視図、そして、図７は正面図である。
【００１８】
前記間仕切り１０は、屈曲変形可能で、耐摩耗性、強度に優れた材料、例えば、ナイロンのような繊維材を織布状にすることで構成されており、その端部領域には、前記収納部８を規定する内面壁３ｃ、傾斜部３ｂ及び底面３ａに亘って密着が可能となる密着面１２を具備した密着部１５が形成されている。
【００１９】
本実施形態では、そのような織布を略長方形状に裁断すると共に、その内側に面ファスナ１３を止着した積層構造としており、このような積層構造となった織布を３枚準備し、これらを略Ｔ字状にして各面ファスナ１３部分を密着させた状態で、所定の位置を縫合することで形成されている。具体的には、間仕切り１０は、３枚の織布１１ａ〜１１ｃをＴ字型となるように重ね合わせ、図５及び図６で示す点線部分を縫い合わせることで形成されている（縫合位置以外は、面ファスナ１３同士が密着していることから分離し難くなっている）。
【００２０】
上記した密着部１５は、重ね合わされた織布の端部領域が、内面壁３ｃ、傾斜部３ｂ及び底面３ａに亘って密着できるように形成されている。このような密着が可能となるように、前記重ね合わされた織布の端部領域は、傾斜しながら屈曲できるように形成されており、これにより、屈曲した部分の密着部１５の裏面側（密着面）は下側を向き、その屈曲性によって内面壁３ｃ、傾斜部３ｂ及び底面３ａのいずれにも密着可能となっている。具体的には、２枚の織布を重ねるように縫合するにあたって、図の符号Ｐで示す端部領域の縫合を斜めにしておくことで、端部領域は傾斜した状態で屈曲できるようになる。この場合、その端部領域は、図７に示すように、互いに外方に開くことで面ファスナ１３が止着された密着面１２が露出することから、密着領域が多くなり、上記した各部分に対する密着が容易に行なえると共に、密着の強度が向上して、外れたりずれが生じ難くなる。
【００２１】
すなわち、本体３の内面は、上記したように、底面３ａ、内面壁３ｃ、及びこれらをつなぐ傾斜部３ｂとで形成されていることから、間仕切り１０の端部領域が、傾斜した状態で屈曲できるようにすることで、これらの部分に亘って、或いは底面３ａに対しても密着して接合することが可能となる。
【００２２】
また、本実施形態の間仕切り１０は、Ｔ字状となるように形成されており、かつ屈曲変形できるように形成されているため、仕切り角度θ１、θ２については、適宜、変更することが可能となり、容易に収納スペースを変更することが可能となる。
【００２３】
上記したような間仕切り１０を備えた容器は、例えば、図８から図１０に示すように使用される。
【００２４】
例えば、収納物品として、スピニングリール５０、及びこれに取り付け可能なスプール５１，５２を収納する場合、間仕切り１０に形成されている全ての密着面を内面壁３ｃに密着させることで、スピニングリール５０を収納する収納スペース８ａを大きし、かつスプール５１，５２を収納する収納スペース８ｂ，８ｃを小さくすることができる。この場合、間仕切り１０は、図に示すように、両方の本体３に配置するようにしたが、いずれか一方に配置しても良い。
【００２５】
また、上記した構成において、収納物品に応じて収納スペース８ｂ，８ｃを広げ、かつ収納スペース８ａを狭くしたい場合は、図１１に示すように間仕切り１０の壁部を変形させて、１つの密着面を内面壁３ｃに密着させ、それ以外の密着面を底面３ａ、傾斜部３ｂ及び内面壁３ｃに亘って密着させれば良い。或いは、図１２に示すように間仕切り１０の壁部が湾曲するように密着面を内面壁３ｃに密着させても良いし、図１３に示すように、１つの密着面を傾斜部３ｂ及び底面３ａに密着させ、残りの２つの密着面を底面３ａ、傾斜部３ｂ及び内面壁３ｃに亘って密着させても良い。
【００２６】
このように、間仕切り１０は、屈曲可能な素材で形成されており、かつ端部領域は、傾斜した状態で屈曲して密着面を形成していることから、収納物に応じて、容易に収納スペースを変更することができるようになる。また、本実施形態の密着面１２は、間仕切りの壁部に対し両側に向けて開いており、その部分に面ファスナ１３が取着された状態となっていることから、密着状態が安定して、間仕切りが外れたり、ずれるようなこともない。
【００２７】
なお、上記した構成において、間仕切り１０の形状は適宜変形することが可能である。例えば、図１４に示すように、十字型にすることで、分割される収納部の数を増やすこともでき、また、図１５に示すように、単なる板状の部材とすることで、収納部の数を減らすことも可能である。
【００２８】
以上、本発明の実施形態について説明したが、本発明は、上記した実施形態に限定されることはなく、種々変形することが可能である。例えば、容器は、所定深さの収容部を有する本体と、これを閉塞する蓋体によって構成しても良い。また、間仕切りについては、屈曲できるように構成されたものであれば良く、複数の部材を縫合することなく、単一の部材によって構成されるものであっても良い。
【図面の簡単な説明】
【００２９】
【図１】本発明に係る釣具用収納容器の外観を示す正面図。
【図２】図１に示す釣具用容器の平面図
【図３】図１に示す釣具用収納容器の展開図。
【図４】釣具用収納容器内に配置される間仕切りの構成を示す平面図。
【図５】間仕切りの構成を示す正面図。
【図６】間仕切りの構成を示す斜視図。
【図７】間仕切りの構成を示す正面図。
【図８】間仕切りを装着した状態を示す釣具用収納容器の斜視図。
【図９】間仕切りを装着して釣具を収容した状態を示す釣具用収納容器の展開図。
【図１０】間仕切りを装着して釣具を収容した状態を示す釣具用収納容器の斜視図。
【図１１】間仕切りの装着の第１変更例を示す釣具用収納容器の展開図。
【図１２】間仕切りの装着の第２変更例を示す釣具用収納容器の展開図。
【図１３】間仕切りの装着の第３変更例を示す釣具用収納容器の展開図。
【図１４】間仕切りの別の構成例を示す釣具用収納容器の展開図。
【図１５】間仕切りの更に別の構成例を示す釣具用収納容器の展開図。
【符号の説明】
【００３０】
１  釣具用収納容器
３  本体
１０  間仕切り
１２  密着面
１３  面ファスナ
１５  密着部
【図１】
2006061082.tif 000003
【図２】
2006061082.tif 000004
【図３】
2006061082.tif 000005
【図４】
2006061082.tif 000006
【図５】
2006061082.tif 000007
【図６】
2006061082.tif 000008
【図７】
2006061082.tif 000009
【図８】
2006061082.tif 000010
【図９】
2006061082.tif 000011
【図１０】
2006061082.tif 000012
【図１１】
2006061082.tif 000013
【図１２】
2006061082.tif 000014
【図１３】
2006061082.tif 000015
【図１４】
2006061082.tif 000016
【図１５】
2006061082.tif 000017